【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
単離されたＦｃＲＨであって、該ＦｃＲＨは、１０７より多くまたは１０４未満のアミノ酸を有する細胞質領域、膜貫通領域および細胞外領域を含む、単離されたＦｃＲＨ。
【請求項２】
前記細胞外領域が４未満のＩｇドメインを含む、請求項１に記載の単離されたＦｃＲＨ。
【請求項３】
前記細胞質領域が１０４未満のアミノ酸を含む、請求項２に記載の単離されたＦｃＲＨ。
【請求項４】
前記膜貫通領域が酸性アミノ酸を含む、請求項３に記載の単離されたＦｃＲＨ。
【請求項５】
前記酸性アミノ酸がグルタメートである、請求項４に記載の単離されたＦｃＲＨ。
【請求項６】
前記細胞質領域が配列番号１のアミノ酸配列を含む、請求項２に記載の単離されたＦｃＲＨ。
【請求項７】
前記細胞外領域が配列番号２１のアミノ酸配列を含む、請求項２に記載の単離されたＦｃＲＨ。
【請求項８】
配列番号２のアミノ酸配列を含む、請求項１に記載の単離されたＦｃＲＨ。
【請求項９】
レセプターが骨髄性細胞によって発現される、請求項１に記載の単離されたＦｃＲＨ。
【請求項１０】
前記レセプターがＴ細胞によって発現される、請求項９に記載の単離されたＦｃＲＨ。
【請求項１１】
配列番号１のアミノ酸配列を含む、ポリペプチド。
【請求項１２】
保存的アミノ酸置換を有する配列番号１のアミノ酸を含む、ポリペプチド。
【請求項１３】
配列番号２１のアミノ酸配列を含む、ポリペプチド。
【請求項１４】
保存的アミノ酸置換を有する配列番号２１のアミノ酸を含む、ポリペプチド。
【請求項１５】
配列番号２のアミノ酸を含む、ポリペプチド。
【請求項１６】
保存的アミノ酸置換を有する配列番号２のアミノ酸を含むポリペプチド。
【請求項１７】
前記細胞質領域が９９未満のアミノ酸を含み、レセプターが４つまでのＩｇドメインおよび５つまでのＮ連結グリコシル化部位を有する細胞外領域をさらに含む、請求項１に記載の単離されたＦｃＲＨ。
【請求項１８】
前記細胞質領域が配列番号３のアミノ酸配列を含む、請求項１７に記載の単離されたＦｃＲＨ。
【請求項１９】
前記細胞外領域が配列番号２２のアミノ酸配列を含む、請求項１７に記載の単離されたＦｃＲＨ。
【請求項２０】
配列番号４のアミノ酸配列を含む、請求項１に記載の単離されたＦｃＲＨ。
【請求項２１】
配列番号３のアミノ酸配列を含む、ポリペプチド。
【請求項２２】
保存的アミノ酸置換を有する配列番号３のアミノ酸を含む、ポリペプチド。
【請求項２３】
配列番号２２のアミノ酸配列を含む、ポリペプチド。
【請求項２４】
保存的アミノ酸置換を有する配列番号２２のアミノ酸を含む、ポリペプチド。
【請求項２５】
配列番号４のアミノ酸を含む、ポリペプチド。
【請求項２６】
保存的アミノ酸置換を有する配列番号４のアミノ酸を含む、ポリペプチド。
【請求項２７】
前記細胞質領域が１０７より多くのアミノ酸を含む、請求項１に記載の単離されたＦｃＲＨ。
【請求項２８】
前記細胞質領域が配列番号５のアミノ酸配列を含む、請求項２７に記載の単離されたＦｃＲＨ。
【請求項２９】
前記細胞質領域が配列番号２３のアミノ酸配列を含む、請求項２７に記載の単離されたＦｃＲＨ。
【請求項３０】
前記細胞外領域が配列番号２４のアミノ酸配列を含む、請求項２７に記載の単離されたＦｃＲＨ。
【請求項３１】
配列番号６のアミノ酸を含む、請求項１に記載の単離されたＦｃＲＨ。
【請求項３２】
配列番号２５のアミノ酸配列を含む、請求項１に記載の単離されたＦｃＲＨ。
【請求項３３】
配列番号５のアミノ酸配列を含む、ポリペプチド。
【請求項３４】
保存的アミノ酸置換を有する配列番号５のアミノ酸を含む、ポリペプチド。
【請求項３５】
配列番号２４のアミノ酸配列を含む、ポリペプチド。
【請求項３６】
保存的アミノ酸置換を有する配列番号２４のアミノ酸を含む、ポリペプチド。
【請求項３７】
配列番号２３のアミノ酸配列を含む、ポリペプチド。
【請求項３８】
保存的アミノ酸置換を有する配列番号２３のアミノ酸を含む、ポリペプチド。
【請求項３９】
配列番号６のアミノ酸配列を含む、ポリペプチド。
【請求項４０】
保存的アミノ酸置換を有する配列番号６のアミノ酸を含む、ポリペプチド。
【請求項４１】
配列番号２５のアミノ酸配列を含む、ポリペプチド。
【請求項４２】
保存的アミノ酸置換を有する配列番号２５のアミノ酸を含む、ポリペプチド。
【請求項４３】
前記細胞質領域が配列番号２６のアミノ酸配列を含む、請求項１に記載の単離されたＦｃＲＨ。
【請求項４４】
前記細胞外領域が配列番号２７のアミノ酸配列を含む、請求項１に記載の単離されたＦｃＲＨ。
【請求項４５】
配列番号２８のアミノ酸配列を含む、請求項１の単離されたＦｃＲＨ。
【請求項４６】
請求項２に記載のＦｃＲＨをコードするヌクレオチド配列を含む、単離された核酸。
【請求項４７】
配列番号１をコードするヌクレオチド配列を含む、単離された核酸。
【請求項４８】
配列番号２１をコードするヌクレオチド配列を含む、単離された核酸。
【請求項４９】
配列番号２をコードするヌクレオチド配列を含む、単離された核酸。
【請求項５０】
配列番号７のヌクレオチド配列を含む、請求項４６に記載の核酸。
【請求項５１】
高度にストリンジェントな条件下でハイブリダイゼーションプローブにハイブリダイズする配列を含む単離された核酸であって、該ハイブリダイゼーションプローブが配列番号７または配列番号７の相補体のヌクレオチド配列を含む、単離された核酸。
【請求項５２】
配列番号１３のヌクレオチド配列を含む、請求項４６に記載の核酸。
【請求項５３】
高度にストリンジェントな条件下でハイブリダイゼーションプローブにハイブリダイズする配列を含む単離された核酸であって、該ハイブリダイゼーションプローブが配列番号１３または配列番号１３の相補体のヌクレオチド配列を含む、単離された核酸。
【請求項５４】
配列番号８のヌクレオチド配列を含む、請求項４６に記載の核酸。
【請求項５５】
高度にストリンジェントな条件下でハイブリダイゼーションプローブにハイブリダイズする配列を含む単離された核酸であって、該ハイブリダイゼーションプローブが配列番号８または配列番号８の相補体のヌクレオチド配列を含む、単離された核酸。
【請求項５６】
ストリンジェントな条件下で、配列番号７、配列番号１３または配列番号８の配列を有する核酸にハイブリダイズする、一本鎖核酸。
【請求項５７】
請求項１７に記載のＦｃＲＨをコードするヌクレオチド配列を含む、単離された核酸。
【請求項５８】
配列番号３をコードするヌクレオチド配列を含む、単離された核酸。
【請求項５９】
配列番号２２をコードするヌクレオチド配列を含む、単離された核酸。
【請求項６０】
配列番号４をコードするヌクレオチド配列を含む、単離された核酸。
【請求項６１】
配列番号９のヌクレオチド配列を含む、請求項５７に記載の核酸。
【請求項６２】
高度にストリンジェントな条件下でハイブリダイゼーションプローブにハイブリダイズする配列を含む単離された核酸であって、該ハイブリダイゼーションプローブが配列番号９または配列番号９の相補体のヌクレオチド配列を含む、単離された核酸。
【請求項６３】
配列番号１４のヌクレオチド配列を含む、請求項５７に記載の核酸。
【請求項６４】
高度にストリンジェントな条件下でハイブリダイゼーションプローブにハイブリダイズする配列を含む単離された核酸であって、該ハイブリダイゼーションプローブが配列番号１４または配列番号１４の相補体のヌクレオチド配列を含む、単離された核酸。
【請求項６５】
配列番号１０のヌクレオチド配列を含む、請求項５７に記載の核酸。
【請求項６６】
高度にストリンジェントな条件下でハイブリダイゼーションプローブにハイブリダイズする配列を含む単離された核酸であって、該ハイブリダイゼーションプローブが配列番号１０または配列番号１０の相補体のヌクレオチド配列を含む、単離された核酸。
【請求項６７】
ストリンジェントな条件下で、配列番号９、配列番号１４または配列番号１０の配列を有する核酸にハイブリダイズする、一本鎖核酸。
【請求項６８】
請求項２７に記載のＦｃＲＨをコードするヌクレオチド配列を含む、単離された核酸。
【請求項６９】
配列番号５をコードするヌクレオチド配列を含む、単離された核酸。
【請求項７０】
配列番号２３をコードするヌクレオチド配列を含む、単離された核酸。
【請求項７１】
配列番号２４をコードするヌクレオチド配列を含む、単離された核酸。
【請求項７２】
配列番号６をコードするヌクレオチド配列を含む、単離された核酸。
【請求項７３】
配列番号２５をコードするヌクレオチド配列を含む、単離された核酸。
【請求項７４】
配列番号１１のヌクレオチド配列を含む、請求項６８に記載の核酸。
【請求項７５】
高度にストリンジェントな条件下でハイブリダイゼーションプローブにハイブリダイズする配列を含む単離された核酸であって、該ハイブリダイゼーションプローブが配列番号１１または配列番号１１の相補体のヌクレオチド配列を含む、単離された核酸。
【請求項７６】
配列番号１６のヌクレオチド配列を含む、請求項６８に記載の核酸。
【請求項７７】
高度にストリンジェントな条件下でハイブリダイゼーションプローブにハイブリダイズする配列を含む単離された核酸であって、該ハイブリダイゼーションプローブが配列番号１６または配列番号１６の相補体のヌクレオチド配列を含む、単離された核酸。
【請求項７８】
配列番号１５のヌクレオチド配列を含む、請求項６８に記載の核酸。
【請求項７９】
高度にストリンジェントな条件下でハイブリダイゼーションプローブにハイブリダイズする配列を含む単離された核酸であって、該ハイブリダイゼーションプローブが配列番号１５または配列番号１５の相補体のヌクレオチド配列を含む、単離された核酸。
【請求項８０】
配列番号１２のヌクレオチド配列を含む、請求項６８に記載の核酸。
【請求項８１】
高度にストリンジェントな条件下でハイブリダイゼーションプローブにハイブリダイズする配列を含む単離された核酸であって、該ハイブリダイゼーションプローブが配列番号１２は配列番号１２の相補体のヌクレオチド配列を含む、単離された核酸。
【請求項８２】
配列番号１７のヌクレオチド配列を含む、請求項６８に記載の核酸。
【請求項８３】
高度にストリンジェントな条件下でハイブリダイゼーションプローブにハイブリダイズする配列を含む単離された核酸であって、該ハイブリダイゼーションプローブが配列番号１１または配列番号１７の相補体のヌクレオチド配列を含む、単離された核酸。
【請求項８４】
ストリンジェントな条件下で、配列番号１１、配列番号１５、配列番号１６または配列番号１２の配列を有する核酸にハイブリダイズする、一本鎖核酸。
【請求項８５】
配列番号２６をコードするヌクレオチド配列を含む、単離された核酸。
【請求項８６】
配列番号２７をコードするヌクレオチド配列を含む、単離された核酸。
【請求項８７】
配列番号２８をコードするヌクレオチド配列を含む、単離された核酸。
【請求項８８】
高度にストリンジェントな条件下でハイブリダイゼーションプローブにハイブリダイズする配列を含む単離された核酸であって、該ハイブリダイゼーションプローブが配列番号１８または配列番号１８の相補体のヌクレオチド配列を含む、単離された核酸。
【請求項８９】
高度にストリンジェントな条件下でハイブリダイゼーションプローブにハイブリダイズする配列を含む単離された核酸であって、該ハイブリダイゼーションプローブが配列番号１９または配列番号１９の相補体のヌクレオチド配列を含む、単離された核酸。
【請求項９０】
高度にストリンジェントな条件下でハイブリダイゼーションプローブにハイブリダイズする配列を含む単離された核酸であって、該ハイブリダイゼーションプローブが配列番号２０または配列番号２０の相補体のヌクレオチド配列を含む、単離された核酸。
【請求項９１】
ストリンジェントな条件下で、配列番号１８、配列番号１９または配列番号２０の配列を有する核酸にハイブリダイズする、一本鎖核酸。
【請求項９２】
発現制御配列に作動可能に連結されている請求項４６に記載の核酸を含む、発現ベクター。
【請求項９３】
請求項９２に記載のベクターを含む、単離された細胞。
【請求項９４】
ＦｃＲＨを作製する方法であって、該方法は、該ＦｃＲＨの発現を許容する条件下で請求項９３に記載の細胞を培養する工程を包含する、方法。
【請求項９５】
発現制御配列に作動可能に連結されている請求項５７に記載の核酸を含む、発現ベクター。
【請求項９６】
請求項９５に記載のベクターを含む、単離された細胞。
【請求項９７】
ＦｃＲＨを作製する方法であって、該方法は、該ＦｃＲＨの発現を許容する条件下で請求項９６に記載の細胞を培養する工程を包含する、方法。
【請求項９８】
発現制御配列に作動可能に連結されている請求項５６に記載の核酸を含む、発現ベクター。
【請求項９９】
請求項９８に記載のベクターを含む、単離された細胞。
【請求項１００】
ＦｃＲＨを作製する方法であって、該方法は、該ＦｃＲＨの発現を許容する条件下で請求項９９に記載の細胞を培養する工程を包含する、方法。
【請求項１０１】
発現制御配列に作動可能に連結されている請求項５７に記載の核酸を含む、発現ベクター。
【請求項１０２】
請求項１０１に記載のベクターを含む、単離された細胞。
【請求項１０３】
ＦｃＲＨを作製する方法であって、該方法は、該ＦｃＲＨの発現を許容する条件下で請求項１０２に記載の細胞を培養する工程を包含する、方法。
【請求項１０４】
発現制御配列に作動可能に連結されている請求項６７に記載の核酸を含む、発現ベクター。
【請求項１０５】
請求項１０４に記載のベクターを含む、単離された細胞。
【請求項１０６】
ＦｃＲＨを作製する方法であって、該方法は、該ＦｃＲＨの発現を許容する条件下で請求項１０５に記載の細胞を培養する工程を包含する、方法。
【請求項１０７】
発現制御配列に作動可能に連結されている請求項６８に記載の核酸を含む、発現ベクター。
【請求項１０８】
請求項１０７に記載のベクターを含む、単離された細胞。
【請求項１０９】
ＦｃＲＨを作製する方法であって、該方法は、該ＦｃＲＨの発現を許容する条件下で請求項１０８に記載の細胞を培養する工程を包含する、方法。
【請求項１１０】
発現制御配列に作動可能に連結されている請求項９１に記載の核酸を含む、発現ベクター。
【請求項１１１】
請求項１１０に記載のベクターを含む、単離された細胞。
【請求項１１２】
ＦｃＲＨを作製する方法であって、該方法は、該ＦｃＲＨの発現を許容する条件下で請求項１１１に記載の細胞を培養する工程を包含する、方法。
【請求項１１３】
精製された抗体またはその免疫学的フラグメントであって、該抗体またはそのフラグメントが、請求項１に記載のＦｃＲＨに選択的に結合する、抗体またはそのフラグメント。
【請求項１１４】
精製された抗体またはその免疫学的フラグメントであって、該抗体またはそのフラグメントが、請求項２に記載のＦｃＲＨに選択的に結合する、抗体またはそのフラグメント。
【請求項１１５】
精製された抗体またはその免疫学的フラグメントであって、該抗体またはそのフラグメントが、請求項１７に記載のＦｃＲＨに選択的に結合する、抗体またはそのフラグメント。
【請求項１１６】
精製された抗体またはその免疫学的フラグメントであって、該抗体またはそのフラグメントが、請求項２７に記載のＦｃＲＨに選択的に結合する、抗体またはそのフラグメント。
【請求項１１７】
前記抗体またはそのフラグメントがモノクローナル抗体またはそのフラグメントである、請求項１１３に記載の抗体またはそのフラグメント。
【請求項１１８】
前記抗体またはそのフラグメントがヒト化抗体、完全なヒト抗体、またはそれらのフラグメントである、請求項１１３に記載の抗体またはそのフラグメント。
【請求項１１９】
前記抗体またはそのフラグメントが単鎖抗体またはそのフラグメントである、請求項１１３に記載の抗体またはそのフラグメント。
【請求項１２０】
前記抗体またはそのフラグメントが標識されている、請求項１１３に記載の抗体またはそのフラグメント。
【請求項１２１】
標識が放射性標識である、請求項１１３に記載の抗体またはそのフラグメント。
【請求項１２２】
前記抗体またはそのフラグメントが毒素に結合体化されるか、または融合される、請求項１１３に記載の抗体またはそのフラグメント。
【請求項１２３】
請求項６に記載のＦｃＲＨと選択的に結合するが、請求項１８、２８または４３に記載のＦｃＲＨとは結合しない、精製された抗体。
【請求項１２４】
請求項１８に記載のＦｃＲＨと選択的に結合するが、請求項６、２８または４３に記載のＦｃＲＨとは結合しない、精製された抗体。
【請求項１２５】
請求項２８に記載のＦｃＲＨと選択的に結合するが、請求項６、１８または４３に記載のＦｃＲＨとは結合しない、精製された抗体。
【請求項１２６】
請求項２９に記載のＦｃＲＨと結合しない、請求項１２５に記載の精製された抗体。
【請求項１２７】
請求項２９に記載のＦｃＲＨと選択的に結合するが、請求項６、１８または４３に記載のＦｃＲＨとは結合しない、精製された抗体。
【請求項１２８】
請求項２８に記載のＦｃＲＨと結合しない、請求項１２７に記載の精製された抗体。
【請求項１２９】
請求項４３に記載のＦｃＲＨと選択的に結合するが、請求項６、１８または２８に記載のＦｃＲＨとは結合しない、精製された抗体。
【請求項１３０】
請求項７に記載のＦｃＲＨと選択的に結合するが、請求項１９、３０または４４に記載のＦｃＲＨとは結合しない、精製された抗体。
【請求項１３１】
請求項１９に記載のＦｃＲＨと選択的に結合するが、請求項７、３０または４４に記載のＦｃＲＨとは結合しない、精製された抗体。
【請求項１３２】
請求項３０に記載のＦｃＲＨと選択的に結合するが、請求項７、１９または４４に記載のＦｃＲＨとは結合しない、精製された抗体。
【請求項１３３】
請求項４４に記載のＦｃＲＨと選択的に結合するが、請求項７、１９または３０に記載のＦｃＲＨとは結合しない、精製された抗体。
【請求項１３４】
被験体における造血細胞系統の疾患を診断するためのキットであって、該キットは、以下：
（ａ）請求項１１３に記載の抗体；
（ｂ）該核酸による結合の量またはパターンを検出するための手段であって、コントロールサンプルにおける結合と比較した該結合の量またはパターンの変化が、該被験体の造血細胞系統の悪性腫瘍を示す、手段；
を含有する、キット。
【請求項１３５】
前記造血細胞系統の悪性腫瘍がＢ細胞系統の悪性腫瘍である、請求項１３４に記載のキット。
【請求項１３６】
前記造血細胞系統の悪性腫瘍がＴ細胞系統の悪性腫瘍である、請求項１３４に記載のキット。
【請求項１３７】
前記抗体が、配列番号１のアミノ酸配列を有するＦｃＲＨに選択的に結合する、請求項１３４に記載のキット。
【請求項１３８】
前記抗体が、配列番号２１のアミノ酸配列を有するＦｃＲＨに選択的に結合する、請求項１３４に記載のキット。
【請求項１３９】
前記抗体が、配列番号２のアミノ酸配列を有するＦｃＲＨに選択的に結合する、請求項１３４に記載のキット。
【請求項１４０】
前記抗体が、配列番号３のアミノ酸配列を有するＦｃＲＨに選択的に結合する、請求項１３４に記載のキット。
【請求項１４１】
前記抗体が、配列番号２２のアミノ酸配列を有するＦｃＲＨに選択的に結合する、請求項１３４に記載のキット。
【請求項１４２】
前記抗体が、配列番号４のアミノ酸配列を有するＦｃＲＨに選択的に結合する、請求項１３４に記載のキット。
【請求項１４３】
前記抗体が、配列番号５のアミノ酸配列を有するＦｃＲＨに選択的に結合する、請求項１３４に記載のキット。
【請求項１４４】
前記抗体が、配列番号２３のアミノ酸配列を有するＦｃＲＨに選択的に結合する、請求項１３４に記載のキット。
【請求項１４５】
前記抗体が、配列番号２４のアミノ酸配列を有するＦｃＲＨに選択的に結合する、請求項１３４に記載のキット。
【請求項１４６】
前記抗体が、配列番号６のアミノ酸配列を有するＦｃＲＨに選択的に結合する、請求項１３４に記載のキット。
【請求項１４７】
前記抗体が、配列番号２５のアミノ酸配列を有するＦｃＲＨに選択的に結合する、請求項１３４に記載のキット。
【請求項１４８】
前記抗体が、配列番号２６のアミノ酸配列を有するＦｃＲＨに選択的に結合する、請求項１３４に記載のキット。
【請求項１４９】
前記抗体が、配列番号２７のアミノ酸配列を有するＦｃＲＨに選択的に結合する、請求項１３４に記載のキット。
【請求項１５０】
前記抗体が、配列番号２８のアミノ酸配列を有するＦｃＲＨに選択的に結合する、請求項１３４に記載のキット。
【請求項１５１】
被験体における造血細胞系統の悪性腫瘍を診断するためのキットであって、該キットは、以下：
（ａ）請求項５６、６７、８４、９１のいずれか１項に記載の核酸；
（ｂ）該核酸による結合の量またはパターンを検出するための手段であって、コントロールサンプルにおける結合と比較した該結合の量またはパターンの変化が、該被験体の造血細胞系統の悪性腫瘍を示す、手段；
を含有する、キット。
【請求項１５２】
前記造血細胞系統の悪性腫瘍がＢ細胞系統の悪性腫瘍である、請求項１５１に記載のキット。
【請求項１５３】
前記造血細胞系統の悪性腫瘍がＴ細胞系統の悪性腫瘍である、請求項１５１に記載のキット。
【請求項１５４】
被験体における造血細胞系統の悪性腫瘍を処置するための組成物であって、該組成物は、請求項１１３に記載の抗体の治療有効量を含有する、組成物。
【請求項１５５】
前記造血細胞系統の悪性腫瘍がＢ細胞系統の悪性腫瘍である、請求項１５４に記載の組成物。
【請求項１５６】
前記造血細胞系統の悪性腫瘍がＴ細胞系統の悪性腫瘍である、請求項１５４に記載の組成物。
【請求項１５７】
前記抗体が、配列番号１のアミノ酸配列を有するＦｃＲＨに選択的に結合する、請求項１５４に記載の組成物。
【請求項１５８】
前記抗体が、配列番号２１のアミノ酸配列を有するＦｃＲＨに選択的に結合する、請求項１５４に記載の組成物。
【請求項１５９】
前記抗体が、配列番号２のアミノ酸配列を有するＦｃＲＨに選択的に結合する、請求項１５４に記載の組成物。
【請求項１６０】
前記抗体が、配列番号３のアミノ酸配列を有するＦｃＲＨに選択的に結合する、請求項１５４に記載の組成物。
【請求項１６１】
前記抗体が、配列番号２２のアミノ酸配列を有するＦｃＲＨに選択的に結合する、請求項１５４に記載の組成物。
【請求項１６２】
前記抗体が、配列番号４のアミノ酸配列を有するＦｃＲＨに選択的に結合する、請求項１５４に記載の組成物。
【請求項１６３】
前記抗体が、配列番号５のアミノ酸配列を有するＦｃＲＨに選択的に結合する、請求項１５４に記載の組成物。
【請求項１６４】
前記抗体が、配列番号２３のアミノ酸配列を有するＦｃＲＨに選択的に結合する、請求項１５４に記載の組成物。
【請求項１６５】
前記抗体が、配列番号２４のアミノ酸配列を有するＦｃＲＨに選択的に結合する、請求項１５４に記載の組成物。
【請求項１６６】
前記抗体が、配列番号６のアミノ酸配列を有するＦｃＲＨに選択的に結合する、請求項１５４に記載の組成物。
【請求項１６７】
前記抗体が、配列番号２５のアミノ酸配列を有するＦｃＲＨに選択的に結合する、請求項１５４に記載の組成物。
【請求項１６８】
前記抗体が、配列番号２６のアミノ酸配列を有するＦｃＲＨに選択的に結合する、請求項１５４に記載の組成物。
【請求項１６９】
前記抗体が、配列番号２７のアミノ酸配列を有するＦｃＲＨに選択的に結合する、請求項１５４に記載の組成物。
【請求項１７０】
前記抗体が、配列番号２８のアミノ酸配列を有するＦｃＲＨに選択的に結合する、請求項１５４に記載の組成物。
【請求項１７１】
被験体における造血細胞系統の悪性腫瘍を処置するための組成物であって、該組成物は、請求項５６、６７、８４、９１のいずれか１項に記載の核酸の治療有効量を含有する、組成物。
【請求項１７２】
被験体における自己免疫疾患を診断するためのキットであって、該キットは、以下：
（ａ）請求項１１３に記載の抗体；
（ｂ）該核酸による結合の量またはパターンを検出するための手段であって、コントロールサンプルにおける結合と比較した該結合の量またはパターンの変化が、該被験体の自己免疫疾患を示す、手段；
を含有する、キット。
【請求項１７３】
被験体における自己免疫疾患を診断するためのキットであって、該キットは、以下：
（ａ）請求項５６、６７、８４、９１のいずれか１項に記載の核酸；
（ｂ）該核酸による結合の量またはパターンを検出するための手段であって、コントロールサンプルにおける結合と比較した該結合の量またはパターンの変化が、自己免疫疾患を示す、手段；
を含有する、キット。
【請求項１７４】
被験体における自己免疫疾患を処置するための組成物であって、該組成物は、請求項１１３に記載の抗体の治療有効量を含有する、組成物。
【請求項１７５】
被験体における自己免疫疾患を処置するための組成物であって、該組成物は、請求項５６、６７、８４、９１のいずれか１項に記載の核酸の治療有効量を含有する、組成物。
【請求項１７６】
被験体における体液性免疫応答を調整するための組成物であって、該組成物は、請求項１に記載の単離されたＦｃＲＨを含有する、組成物。
【請求項１７７】
被験体における体液性免疫応答を調整するための組成物であって、該組成物は、請求項１１３に記載の抗体を含有する、組成物。
【請求項１７８】
被験体における体液性免疫応答を調整するための組成物であって、該組成物は、請求項５６、６７、８４、９１のいずれか１項に記載の核酸を含有する、組成物。
【請求項１７９】
ＦｃＲＨ１の単離されたマウスＦｃＲＨアイソフォームであって、該アイソフォームは、細胞質領域を欠失している、マウスＦｃＲＨアイソフォーム。
【請求項１８０】
配列番号７０のアミノ酸配列を含む、ポリペプチド。
【請求項１８１】
保存的アミノ酸置換を有する配列番号７０のアミノ酸を含む、ポリペプチド。
【請求項１８２】
ＦｃＲＨ２の単離されたマウスＦｃＲＨアイソフォームであって、該ＦｃＲＨは、膜貫通領域を欠失している、マウスＦｃＲＨアイソフォーム。
【請求項１８３】
配列番号７３のアミノ酸配列を含む、ポリペプチド。
【請求項１８４】
保存的アミノ酸置換を有する配列番号７３のアミノ酸を含む、ポリペプチド。
【請求項１８５】
配列番号７７のアミノ酸配列を含む、ポリペプチド。
【請求項１８６】
保存的アミノ酸置換を有する配列番号７７のアミノ酸を含む、ポリペプチド。
【請求項１８７】
配列番号７８のアミノ酸配列を含む、ポリペプチド。
【請求項１８８】
保存的アミノ酸置換を有する配列番号７８のアミノ酸配列を含む、ポリペプチド。
【請求項１８９】
請求項１７９に記載の単離されたマウスＦｃＲＨアイソフォームをコードする核酸。
【請求項１９０】
請求項１８２に記載の単離されたマウスＦｃＲＨアイソフォームをコードする核酸。
【請求項１９１】
請求項１８０に記載のポリペプチドをコードする核酸。
【請求項１９２】
請求項１８１に記載のポリペプチドをコードする核酸。
【請求項１９３】
請求項１８３に記載のポリペプチドをコードする核酸。
【請求項１９４】
請求項１８４に記載のポリペプチドをコードする核酸。
【請求項１９５】
請求項１８５に記載のポリペプチドをコードする核酸。
【請求項１９６】
請求項１８６に記載のポリペプチドをコードする核酸。
【請求項１９７】
請求項１８７に記載のポリペプチドをコードする核酸。
【請求項１９８】
請求項１８８に記載のポリペプチドをコードする核酸。